(57)【要約】【課題】  少なくとも２つの入力装置の無線送信の信号を受信する受信装置を提供する。【解決手段】  受信装置は、第１の受信モジュール１と第２の受信モジュール２とを有する。第１の受信モジュール１は、一方の入力装置から送信される無線信号を受信するために用いられ、第２の受信モジュール２は、他方の入力装置から送信される無線信号を受信するために用いられる。第１および第２の受信モジュール１，２は、互いにプラグイン形式で、伝送インタフェースによって電気的に接続される。これにより、ユーザは、コンピュータを制御するにあたって、２つの入力装置を同時に利用することができ、また、前記２つの入力装置は分離して用いることができる。【選択図】図１ 
0003108396.tif 000002
【実用新案登録請求の範囲】
【請求項１】
少なくとも２つの入力装置の無線送信の信号を受信し得る受信装置であって、
前記受信装置は、少なくとも第１の受信モジュールと第２の受信モジュールを有し、
前記第１の受信モジュールは、一方の入力装置から送信された無線信号を受信し、
前記第２の受信モジュールは、他方の入力装置から送信された無線信号を受信し、
前記第１の受信モジュールおよび前記第２の受信モジュールは、互いにプラグアンドプレイおよびホットプラギングの形式によって接続される伝送インタフェースを用いる受信装置。
【請求項２】
前記第１の受信モジュールには、コンピュータなどの機器に接続するための伝送プラグがさらに設けられる請求項１に記載の受信装置。
【請求項３】
前記伝送プラグは、伝送線によって、前記第１の受信モジュールに接続される請求項２に記載の受信装置。
【請求項４】
前記第１の受信モジュールは、入力装置を接続するための伝送スロットをさらに有する請求項１に記載の受信装置。
【請求項５】
前記伝送インタフェースは、スロット、および当該スロットに適合可能な形状を呈するプラグを有する請求項１に記載の受信装置。
【請求項６】
前記伝送インタフェースは、ＵＳＢを含む請求項１に記載の受信装置。
【請求項７】
キーボードから送信される無線信号を受信するために機能する第１の受信モジュールと、
コントローラから送信される無線信号を受信するために機能する第２の受信モジュールとを有し、
前記第１および第２の受信モジュールは、互いにプラグインの伝送インタフェースによって電気的に接続される受信装置。
【請求項８】
前記第１の受信モジュールは、前記キーボードに加え、マウスから送信される無線信号をさらに受信する機能が統合された受信装置を有する請求項７に記載の受信装置。
【請求項９】
前記第１の受信モジュールは、コンピュータなどの機器に接続するための伝送プラグをさらに設けられる請求項７に記載の受信装置。
【請求項１０】
前記伝送プラグは、伝送線によって、前記第１の受信モジュールと接続される請求項９に記載の受信装置。
【請求項１１】
前記第１の受信モジュールは、信号送信の媒体として、赤外線エネルギーを用いる請求項７に記載の受信装置。
【請求項１２】
前記第２の受信モジュールは、前記コントローラに加え、マウスから送信される無線信号をさらに受信する機能が統合された受信装置を有する請求項７に記載の受信装置。
【請求項１３】
前記第１の受信モジュールは、入力装置を接続するための伝送スロットをさらに設けられる請求項１２に記載の受信装置。
【請求項１４】
前記第１の受信モジュールは、入力装置を接続するための伝送スロットをさらに設けられる請求項７に記載の受信装置。
【請求項１５】
前記第２の受信モジュールは、信号送信の媒体として、無線周波数を用いる請求項７に記載の受信装置。
【請求項１６】
前記伝送インタフェースは、スロット、および当該スロットに適合可能な形状を呈するプラグを有する請求項７に記載の受信装置。
【請求項１７】
前記伝送インタフェースは、ＵＳＢを含む請求項７に記載の受信装置。
【請求項１８】
赤外線信号を受信するために機能する第１の受信モジュールと、
無線周波数信号を受信するために機能する第２の受信モジュールとを有し、
前記第１の受信モジュールおよび第２の受信モジュールは、互いに伝送インタフェースを介して、電気的に接続される受信装置。
【請求項１９】
前記伝送インタフェースは、スロット、および当該スロットと適合可能な形状を呈するプラグを有する請求項１８に記載の受信装置。
【請求項２０】
前記伝送インタフェースは、ＵＳＢを含む請求項１８に記載の受信装置。
【考案の詳細な説明】
【技術分野】
【０００１】
本考案は受信装置に関する。より詳しくは、コンピュータの周辺装置とされるさまざまな入力装置における無線送信の信号を受信するために用いられる信号受信装置に関する。
【背景技術】
【０００２】
キーボードおよびマウスは、コンピュータを操作するために必要な周辺装置とされる。キーボードは、通常テキストを入力するために用いられ、一方、マウスは、概して画面上に表示されるカーソルを制御するために用いられる。近年の無線接続とされたキーボードやマウスの発達に伴い、コンピュータに遠隔入力を行うためにキーボードやマウスからの信号の送信を制御するにあたって、無線周波数または赤外線が用いられようになった。さらに、ＵＳＢ（ｕｎｉｖｅｒｓａｌ  ｓｅｒｉａｌ  ｂｕｓ）によるプラグアンドプレイおよびホットプラギングの機能は、パソコンのマウスに応用することが可能とされる。この結果、マウスは、さまざまなコンピュータにプラグアンドプレイ形式で接続されることが可能となり、ユーザは、例えば屋外で利用するラップトップコンピュータにも、当該マウスを使用できる。
【０００３】
しかし、マウスは、操作のために机または演台上に配置されなければならず、ビジネスや会社の会議におけるプレゼンにおいて、ＰｏｗｅｒＰｏｉｎｔ（登録商標）のようなコンピュータソフトウェアを使用することに適していない。これにより、無線接続とされたマウスに置き換わるべく、コントローラが開発された。このようなコントローラは、無線周波数によって機能する。ユーザが親指で方向キーを制御することによって、コンピュータモニタ上のカーソルは制御され得る。これは、プレゼンにおいて、マウスを用いることよりも、さらに便利とされる。
【０００４】
上述した無線を用いる設計は、ユーザの作業上の負担を回避するために開発された。しかしながら、各入力装置には、前記入力装置が送信する固有の信号を受信するための受信装置が必要とされる。多くの受信装置が取り付けられることに従って、コンピュータに設置されることを要するスロットの数が設置可能な数を超えることを回避するために、様々な入力装置からの信号を受信する受信装置を一体に形成した統合受信装置が開発された。回路の集積化によって、様々な入力装置から送信される信号は、共通のシリアルバスを介して、コンピュータに送信され得る。最も一般的な統合受信装置は、マウスおよびキーボードから送信される信号の両者を受信可能な受信装置とされる。
【０００５】
統合受信装置が有する欠点は、ユーザが、２つのコンピュータに信号を送信するために一つの入力装置を持ち運んで使用する場合、ユーザは、当該入力装置とともに、統合受信装置を持ち運ばなくてはならないことである。一旦、統合受信装置がコンピュータから取り外れされると、他の入力装置は、コンピュータと通信するための受信装置を失うために、機能しなくなる。これは使用に際して不便である。例えば、キーボード、マウスやコントローラからの信号を受信するためにコンピュータに接続された受信装置が一つの共通の受信装置として統合されている場合、ユーザは、当該マウスをラップトップコンピュータに接続して使用することを望むときには、前記共通の受信装置を接続されているコンピュータから取り外さなくてはならない。このような条件下において、キーボードとコントローラは、当該共通の受信装置が使用できなくなるため機能しなくなる。また、キーボードおよびコントローラが有線接続される場合、接続のために必要とされる付属装置は、配置されるためのスペースと、ユーザに対する追加的な費用負担とを要する。
【考案の開示】
【考案が解決しようとする課題】
【０００６】
本考案の目的は、少なくとも２つの入力装置の無線送信の信号を受信する受信装置を提供することである。
【課題を解決するための手段】
【０００７】
本考案は、プラグアンドプレイおよびホットプラギングの機能を備えた伝送インタフェースを介して、共に接続される２つの受信モジュールを有する受信装置の受信装置を提供する。各受信モジュールは、少なくとも一つのキーボードや、マウスや、コントローラのような入力装置から送信される無線信号を受信するために機能する。必要に応じて、各受信モジュールは、互いに分離し得て、独立して使用され得る。
【０００８】
本考案は、さらに携帯用または非携帯用の受信装置の信号を受信することが可能な２つの受信モジュールを有し、無線入力装置の信号を受信する受信装置を提供する。各受信モジュールは、プラグアンドプレイおよびホットプラギングの形式の伝送インタフェースを介して取り付けられる。したがって、携帯用の入力装置の信号を受信する受信装置は、他の入力装置の機能に影響することなく、任意に、プラグ形式とアンプラグ形式のものにすることができる。
【０００９】
本考案は、さらに、プラグアンドプレイおよびホットプラギングの形式による伝送インタフェースを介して互いに接続される２つの受信モジュールを有し、無線入力装置の無線信号を受信する受信装置を提供する。一方の受信モジュールは赤外線の信号を受信するために機能し、他方の受信モジュールは、無線周波数信号を受信するために機能する。
【００１０】
本考案の受信装置は、第１の受信モジュールと第２の受信モジュールとを有する。第１の受信モジュールは、一方の無線入力装置によって送信される無線信号を受信するために用いられ、第２の受信モジュールは、他方の無線入力装置から送信される無線信号を受信するために用いられる。第１および第２の受信モジュールは、プラグアンドプレイおよびホットプラギングの形式による伝送インタフェースを介して互いに統合される。
【００１１】
１つの実施形態において、第１の受信モジュールは、キーボードから送信される無線信号を受信するために機能し、第２の受信モジュールは、コントローラから送信される無線信号を受信するために機能する。
【００１２】
好ましくは、第１の受信モジュールは、赤外線の信号を受信するために機能し、第２の受信モジュールは、無線周波数信号を受信するために機能する。
【考案の効果】
【００１３】
本考案の受信装置によれば、ユーザは、コンピュータを制御するにあたって、２つの入力装置を同時に利用することができ、また、当該２つの入力装置を分離して使用することができる。
【考案を実施するための最良の形態】
【００１４】
図１および図２に示すように、第１の受信モジュール１と第２の受信モジュール２は、互いに分離され、互いに取り付けられ得る。
【００１５】
第１の受信モジュール１は、筐体１０を有する。筐体１０は、凹状のソケット１００を有する。第２の受信モジュール２は、本体２０を有する。好ましくは、本体２０は、平行六面体の形状に形成される。第２の受信モジュール２は、凹状のソケット１００に適合するように形成される端部を有し、前記端部によって第１の受信モジュール１と局所的に接続され得る。
【００１６】
伝送インタフェースは、第１の受信モジュールと第２の受信モジュールとを接続するために用いられる。伝送インタフェースは、プラグアンドプレイおよびホットプラギングの機能を備えるためにＵＳＢ規格に適合する。伝送インタフェースは、スロット１１、およびスロット１１に適合可能な形状を呈するプラグ２１を有する。スロット１１の開口は、凹状ソケット１００の下部に設けられ、開口方向は、収容ソケット１００の開口と同じ方向とされる。プラグ２１は、第２の受信モジュール２における本体２０の端部に取り付けられる。第２の受信モジュール２のプラグ２１が第１の受信モジュール１のスロット１１内に挿入されたときに、伝送インタフェースによって電気的な接続が確立される。
【００１７】
第１の受信モジュール１は、図３に示すコンピュータホスト３などの機器に挿入される伝送プラグ１２をさらに有する。伝送プラグ１２は、第１の受信モジュール１の筐体１０に付設される。あるいは、伝送プラグ１２と筐体１０とは、伝送線１２０によって接続され得る。第１の受信モジュール１は、入力装置が追加的に接続されるように、筐体１０に伝送スロット１３を有してもよい。
【００１８】
上記の伝送プラグ１２および伝送スロット１３は、例えば、ＵＳＢ規格に適合する。
【００１９】
以上のように、本考案における受信装置の受信装置は構成される。
【００２０】
上記の受信装置の使用時において、図３に示すように、伝送プラグ１２はコンピュータホスト３に接続される。第１の受信モジュール１は、キーボード３０のような少なくとも１つの非携帯用の入力装置の無線信号を受信する。第２の受信モジュール２は、コントローラ３１のような少なくとも１つの携帯用の入力装置の無線信号を受信するために用いられる。マウス３２が送信する信号を受信する機能は、第１の受信モジュール１あるいは第２の受信モジュール２に組み込まれ得る。本実施形態において、マウス３２が送信する信号を受信する機能は、第１の受信モジュール１に組み込まれている。言い換えれば、ユーザは、キーボード３０、マウス３２、および第１の受信モジュール１のコンピュータホスト３への接続（無線接続も上記接続に含む）が維持されている状態で、コントローラ３１および第２の受信モジュール２をコンピュータから取り外すことができる。
【００２１】
第２の受信モジュールは、取り外された後、プラグ２１と同様にＵＳＢ規格に適合するスロットを備えた他のコンピュータに接続されることによって、コントローラ３１が送信する信号の当該他のコンピュータにおける受信装置として機能する。
【００２２】
マウス３２が送信する信号を受信する機能が、第２の受信モジュール２にも組み込まれた場合には、ユーザは、屋外で利用するラップトップコンピュータなどに使用するために、マウス３２、コントローラ３１、および第２の受信モジュール２をコンピュータホスト３から取り外すことができる。これによって、ユーザは、ラップトップコンピュータへの接続用として、新たなマウスを準備しておく必要は無い。図４に示すように、ユーザは、デスクトップコンピュータを用いる場合には、有線接続とされたマウス３３を、第１の受信スロット１の伝送スロット１３に接続して利用することができる。また、当然ながら、マウス３３を無線接続のものとすることもできる。
【００２３】
図５に示す受信装置において、赤外線が、第１の受信モジュール１の送信媒体として用いられる一方、第２の受信モジュール２の送信信号として無線周波数が用いられ得る。キーボード３０およびマウス３２は、通常、コンピュータモニタ４が赤外線の通信によって受信可能とされる範囲を超えて配置されるために、第１の受信モジュール１は、主に、キーボード３０やマウス３２から送信される赤外線信号を受信する。コントローラ３１は、しばしばコンピュータホスト３あるいは第２の受信モジュール２と遠隔して操作されるため、無線周波数が、コンピュータホスト３とコントローラ３１との通信に用いられることが好ましい。
【００２４】
上記の開示は、本考案における典型的な実施の形態とされる。上記において開示した事項が包含する範囲は、これらの典型的な実施の形態により限定されない。詳細な説明が直接的に示す事項あるいは詳細な説明が包含する事項によって、例えば、形状、構造、寸法、材料の型、あるいは製造工程における改変など、多様な改変がこの開示により当業者によって実現され得る。
【図面の簡単な説明】
【００２５】
上記に示した事項は、本考案の他の特徴と共に、図面を参照することによって明瞭とされる
【図１】本考案の第１の受信モジュールおよび第２の受信モジュールが互いに分離されている状態を示す斜視図である。
【図２】第１の受信モジュールが、第２の受信モジュールに取り付けられている状態を示す斜視図である。
【図３】本考案の第１の実施形態における受信装置が機能している状態を示す斜視図である。
【図４】本考案の第２の実施形態における受信装置が機能している状態を示す斜視図である。
【図５】本考案の第３の実施形態における受信装置が機能している状態を示す斜視図である。
【符号の説明】
【００２６】
１    第１の受信モジュール、
２    第２の受信モジュール、
１１    スロット、
１２    伝送プラグ（伝送プラグ）、
１３    伝送スロット、
２１    プラグ、
１２０    伝送線。
【図１】
0003108396.tif 000003
【図２】
0003108396.tif 000004
【図３】
0003108396.tif 000005
【図４】
0003108396.tif 000006
【図５】
0003108396.tif 000007